(57)【要約】【課題】糊で汚れることなく、かつ、用紙のずれがなく高精度に貼り合わせを行うことができる製本装置を提供すること。【解決手段】用紙Ｐを二つに折る折り部３０と、用紙Ｐの第１面Ｐａに両面テープＴを貼付する糊付け部４０と、用紙Ｐをベースプレート６１により支持するとともに第１面Ｐａを露出させた状態で保持する支持機構６０と、積層済みの用紙Ｑを押圧板８０により支持するとともに、第２面Ｑｂを露出させ、かつ、ベースプレート６１により保持された積層前の用紙Ｐの第１面Ｐａに対向させた状態で保持する押え爪８９と、押え爪８９に支持された用紙Ｑの第２面Ｑｂを押え爪６９に支持された用紙Ｐの第１面Ｐａに押圧して接着させる押圧機構７０と、接着後の用紙Ｐ，Ｑを押え爪８９に移載する貼合せ部５０とを備えている。【選択図】    図１
2004338301.tif 000002
【特許請求の範囲】
【請求項１】
用紙の非印刷面を外側にして二つに折り、非印刷面同士を貼着して積層することで製本する背貼り製本の製本装置において、
上記用紙を上記非印刷面を外側にして二つに折る二つ折り手段と、
二つ折りにされた用紙の非印刷面のうち一方を第１面、他方を第２面とし、上記第１面にのみ両面テープを貼付する両面テープ貼付手段と、
両面テープが貼付された用紙を上記第２面に面接触する支持部材により支持するとともに上記第１面を露出させた状態で保持する積層前用紙保持手段と、
積層済みの用紙をその上記第２面を露出させ、かつ、上記積層前用紙保持手段により保持された上記積層前の用紙の第１面に対向させた状態で保持する積層済用紙保持手段と、
上記積層済用紙支持手段に支持された上記積層済みの用紙の第２面を上記積層前用紙支持手段に支持された上記積層前の用紙の第１面に押圧して接着させる押圧手段と、
接着後の上記積層済用紙を上記積層済用紙保持手段に移載する移載手段とを備えていることを特徴とする製本装置。
【請求項２】
上記押圧手段は、上記用紙の積層方向に沿って往復動する駆動機構を備え、
上記積層側支持部材に対し弾性体を介して接続されていることを特徴とする請求項１に記載の製本装置。
【請求項３】
上記両面テープ貼付手段は、上記両面テープをセパレータとともに巻回した供給リールと、上記セパレータのみを回収する回収リールと、上記供給リールと上記回収リールとの間に配置され、上記セパレータ側から上記両面テープを押圧することで、上記用紙に接着させる両面テープ押圧手段とを備えていることを特徴とする請求項１に記載の製本装置。
【請求項４】
上記両面テープは、上記両面テープの進行方向に対して交差する方向に切欠が形成されていることを特徴とする請求項３に記載の製本装置。
【請求項５】
上記二つ折り手段に供給される最初の用紙に対しては、両面テープ貼付手段による両面テープの貼付を行わないことを特徴とする請求項１に記載の製本装置。
【発明の詳細な説明】
【０００１】
【発明の属する技術分野】
本発明は、用紙の印刷面を内側にして半分に折り、非印刷面同士を糊付け、貼り合わせしてゆくことにより製本していく背貼り製本による製本装置に関し、特に糊で汚れがなく、かつ、用紙を高精度に貼り合せることができるものに関する。
【０００２】
【従来の技術】
背貼り製本は、文字や図面等が印刷されていない非印刷面を外側にして半分に折った複数枚の紙の裏面同士を糊付けすることにより製本していく製本方法である。このような背貼り製本を自動的に行う装置が知られている（特許文献１参照）。
【０００３】
【特許文献１】
特開平８−５８２６７号公報
【０００４】
【発明が解決しようとする課題】
上述したような背貼り製本を自動的に行う製本装置であると次のような問題があった。すなわち、糊付けを行う際、用紙にスプレー糊を塗布していたため、糊付け位置が不安定となったり、用紙以外の部分に糊が付着する虞があった。
【０００５】
また、積層済みの用紙の上に積層前の用紙を積み重ねてゆくため、１枚毎の用紙の位置ずれが蓄積すると、全体として大きく位置ずれが生じ、完成品の見栄えが悪かった。
【０００６】
そこで本発明は、糊で汚れることなく、かつ、用紙のずれがなく高精度に貼り合わせを行うことができる製本装置を提供することを目的としている。
【０００７】
【課題を解決するための手段】
上記課題を解決し目的を達成するために、本発明の製本装置は次のように構成されている。
【０００８】
（１）用紙の非印刷面を外側にして二つに折り、非印刷面同士を貼着して積層することで製本する背貼り製本の製本装置において、上記用紙を上記非印刷面を外側にして二つに折る二つ折り手段と、二つ折りにされた用紙の非印刷面のうち一方を第１面、他方を第２面とし、上記第１面にのみ両面テープを貼付する両面テープ貼付手段と、両面テープが貼付された用紙を上記第２面に面接触する支持部材により支持するとともに上記第１面を露出させた状態で保持する積層前用紙保持手段と、積層済みの用紙をその上記第２面を露出させ、かつ、上記積層前用紙保持手段により保持された上記積層前の用紙の第１面に対向させた状態で保持する積層済用紙保持手段と、上記積層済用紙支持手段に支持された上記積層済みの用紙の第２面を上記積層前用紙支持手段に支持された上記積層前の用紙の第１面に押圧して接着させる押圧手段と、接着後の上記積層済用紙を上記積層済用紙保持手段に移載する移載手段とを備えていることを特徴とする。
【０００９】
（２）上記（１）に記載された製本装置であって、上記押圧手段は、上記用紙の積層方向に沿って往復動する駆動機構を備え、上記積層側支持部材に対し弾性体を介して接続されていることを特徴とする。
【００１０】
（３）上記（１）に記載された製本装置であって、上記両面テープ貼付手段は、上記両面テープをセパレータとともに巻回した供給リールと、上記セパレータのみを回収する回収リールと、上記供給リールと上記回収リールとの間に配置され、上記セパレータ側から上記両面テープを押圧することで、上記用紙に接着させる両面テープ押圧手段とを備えていることを特徴とする。
【００１１】
（４）上記（３）に記載された製本装置であって、上記両面テープは、上記両面テープの進行方向に対して交差する方向に切欠が形成されていることを特徴とする。
【００１２】
（５）上記（１）に記載された製本装置であって、上記二つ折り手段に供給される最初の用紙に対しては、両面テープ貼付手段による両面テープの貼付を行わないことを特徴とする。
【００１３】
【発明の実施の形態】
図１は本発明の一実施の形態に係る製本装置１０の概要を示す平面図、図２は製本装置１０で用いる両面テープＴ及びセパレータＳの構造を示す要部断面図、図３は製本装置１０を図１中Ａ−Ａ線で切断して矢印方向に見た説明図、図４は製本装置１０を図１中Ｂ−Ｂ線で切断して矢印方向に見た説明図である。
【００１４】
製本装置１０は、床面上に設置された架台１１を備えている。架台１１には、印刷済みの用紙Ｐを供給する供給部２０と、供給された用紙Ｐを二つ折りにする折り部３０と、二つ折りになった用紙Ｐの裏面に両面テープＴの一方の面を貼付する糊付け部４０と、両面テープＴが貼付された用紙Ｐの裏面同士を貼り合わせる貼合せ部５０とが設けられている。
【００１５】
両面テープＴは、図２に示すように、基材Ｔａと、この基材Ｔａの両面に塗付された糊部Ｔｂ，Ｔｃとから形成されている。両面テープＴの糊部Ｔｂ側にはセパレータＳが設けられている。なお、セパレータＳは糊部Ｔｂ，Ｔｃに対し容易に剥離できる素材で形成されている。また、両面テープＴには、長手方向に直交する向きに、かつ、例えば２ｍｍ程度の一定間隔で切欠Ｋが形成されている。この切欠Ｋが設けられていることにより、後述するヘラ４４ｃにより押圧された部分の両面テープＴのみがセパレータＳから容易に剥離できるようになっている。
【００１６】
折り部３０は、図３に示すように、供給部２０から供給された用紙Ｐを案内するニップローラ３１と、用紙Ｐを折るための一対の折りローラ３２ａ，３２ｂと、これら折りローラ３２ａ，３２ｂの隙間に挿脱自在に設けられた折りナイフ３３と、供給部２０と対向して位置に配置されたストップ機構３４とを備えている。ストップ機構３４は、用紙Ｐが内部に案内される傾斜板３５と、この傾斜板３５内部に配置され、用紙Ｐの有無を検知する用紙センサ３６と、用紙Ｐの先端に当接して用紙Ｐの進行を止めるストッパ３７とを備えている。
【００１７】
糊付け部４０は、用紙Ｐを載置する傾斜配置されたベースプレート４１と、このベースプレート４１に対向配置された糊付け機構４２とを備えている。
【００１８】
糊付け機構４２は、一対のテープ糊供給機構４３と、一対の両面テープ貼付機構４４とを備えている。テープ糊供給機構４３は、両面テープＴ及びセパレータＳが巻回されたテープ糊供給リール４３ａと、セパレータＳを巻き取るセパレータ回収リール４３ｂと、これらを駆動する駆動機構（不図示）とを備えている。
【００１９】
両面テープ貼付機構４４は、ピストン機構４４ａと、このピストン機構４４ａの先端に取付けられ往復動するベース４４ｂと、このベース４４ｂにその揺動軸Ｃが取付けられると共にこの揺動軸Ｃ回りに揺動するヘラ４４ｃと、このヘラ４４ｃを揺動させる駆動モータ４４ｄとを備えている。
【００２０】
貼合せ部５０は、積層前の用紙Ｐを支持する支持機構（積層前用紙保持手段）６０と、この支持機構６０に対向配置され、積層後の用紙Ｑを保持するとともに積層前の用紙Ｐに押圧して貼り合わせる押圧機構７０とを備えている。
【００２１】
支持機構６０は、上述した糊付け機構４２により糊付けされた新しい用紙Ｐを載置する傾斜配置されたベースプレート（支持部材）６１を備えている。ベースプレート６１は架台１１に固定されている。ベースプレート６１の下面には、スライダガイド６２が設けられ、スライダ６３がシリンダ（不図示）により往復動自在に取付けられている。このスライダ６３には、支持台６４を介して駆動モータ（不図示）が設けられ、この駆動モータの出力軸にはカム６５が設けられている。一方、スライダ６３には回動軸６６が設けられ、この回動軸６６にはアーム６７が回動自在に取付けられている。アーム６７の一端側は上述したカム６５に当接するカムフォロア６８が設けられ、他端側は後述するように積層前の用紙Ｐを係止する押え爪（積層前用紙保持手段）６９が形成されている。
【００２２】
押圧機構７０は、架台１１に取付けられた駆動モータ７１を備えている。駆動モータ７１の出力軸にはボールネジ７２が取付けられ、このボールネジ７２には雌ねじを有するブロック７３が螺合し、このブロック７３にはコイルバネ７４を介して押圧板（積層側支持部材）８０が取付けられている。押圧板８０には積層後の用紙Ｑの第１面Ｑａが面接触により支持されている。
【００２３】
押圧板８０の上面には、スライダガイド８２が設けられ、スライダ８３がシリンダ（不図示）により往復動自在に取付けられている。このスライダ８３には、支持台８４を介して駆動モータ（不図示）が設けられ、この駆動モータの出力軸にはカム８５が設けられている。一方、スライダ８３には回動軸８６が設けられ、この回動軸８６にはアーム８７が回動自在に取付けられている。アーム８７の一端側は上述したカム８５に当接するカムフォロア８８が設けられ、他端側は後述するように積層済みの用紙Ｑを係止する押え爪（積層済用紙保持手段）８９が形成されている。
【００２４】
なお、上述した押え爪６９及び押え爪８９は、後述するようなタイミングで開閉することにより、ベースプレート６１上の用紙Ｐを押圧板８０側へ移載することが可能となる。
【００２５】
このように構成された製本装置１０では、次のようにして背貼り製本を行う。すなわち、供給部２０に印刷済みの用紙Ｐを貼り合わせの順序にしたがって積み重ねる。このとき、文字や図形が印刷された印刷面を上面とする。次に、図５の（ａ）に示すように、供給部２０から１枚ずつ用紙Ｐを折り部３０に送り込む。用紙Ｐは、ニップローラ３１及び折りローラ３２ａにより、折り部３０内部に取り込まれる。
【００２６】
さらに、用紙Ｐが進行すると、図５の（ｂ）に示すように、傾斜板３５内部に挿入される。このとき、用紙センサ３６にて用紙Ｐが傾斜板３５内部に到達したことが検知されるとともに、ストッパ３７により用紙Ｐの進行が停止する。
【００２７】
次に、図５の（ｃ）に示すように、折りナイフ３３が下降し、用紙Ｐの印刷面Ｐａに突き当てられる。さらに折りナイフ３３が下降すると、非印刷面を外側にして用紙Ｐが二つ折りとなり、糊付け部４０のベースプレート４１上に移載される。なお、移載された用紙Ｐは、その二つ折り辺側がベースプレート４１の傾斜方向端部に設けられた壁に当接することで位置決めされる。二つ折りされた用紙Ｐの図３中上面であって露出している面を第１面Ｐａ、ベースプレート４１に接触している側の面を第２面Ｐｂとする。
【００２８】
テープ糊供給機構４３のテープ糊供給リール４３ａから一定量の両面テープＴ及びセパレータＳが供給され、両面テープＴが用紙Ｐの第１面Ｐａの所定位置に近接する。次に、ピストン機構４４ａが作動し、ベース４４ｂがベースプレート４１に近付くとともに、駆動モータ４４ｄによりヘラ４４ｃが揺動し、その先端により押圧されて、例えば長手方向１０ｍｍ程度の両面テープＴの糊部Ｔｃが第１面Ｐａに接着する。これにより両面テープＴが用紙Ｐの第１面Ｐａに転写され、両面テープＴとセパレータＳとが分離し、セパレータＳのみがセパレータ回収リール４３ｂに巻き取られていく。なお、上述したように１０ｍｍの範囲で転写を行い、かつ、両面テープＴには２ｍｍ間隔で切欠Ｋが形成されていることから、５本程度の両面テープＴが転写されることになる。このため、１〜２本程度の転写ミスが発生した場合であっても接着力は大幅に減少することなく、製本に支障が発生することはない。このようにして、用紙Ｐの第１面Ｐａには、糊付け機構４２により、用紙Ｐの二つ折り辺に沿い、かつ折り幅方向（図６における左右方向）に一対の両面テープ貼付機構４４を構成する各ヘラ４４ｃの配置間隔を隔てた２ラインに糊付けがされる。
【００２９】
なお、上記した糊付け機構４２においては、最初の用紙Ｐには両面テープＴの貼付は行わない。
【００３０】
続いて、図示しない搬送機構により、貼合せ部５０のベースプレート６１上に用紙Ｐが移載される。ベースプレート６１は板状に形成されているので用紙Ｐの第２面Ｐｂに面接触される。このとき、図７の（ａ）に示すように、押え爪６９は開いている。またベースプレート６１上に移載された用紙Ｐは、その二つ折り辺がベースプレート６１に設けたピン６１ａに当接することで位置決めされる。次に、図７の（ｂ）に示すように、両スライダ６３が互いに接近する方向に移動させられつつカム６５が回転することにより、カムフォロア６８が移動し、アーム６７が揺動する。これに伴って押え爪６９が用紙Ｐの端部を押さえつけることになる。このとき、押え爪６９は両面テープＴに干渉しない位置を押さえつける。
【００３１】
次に、押圧機構７０の駆動モータ７１が駆動され、ブロック７３が下降する。なお、図８に示すように、予め押圧板８０は用紙Ｑをその第２面Ｑｂを露出させた状態で、かつ、ベースプレート６１に保持された積層前の用紙Ｐの第１面Ｐａに対向する状態で保持しているものとする。用紙Ｑには両面テープＴが貼付されていない。ブロック７３が下降してゆくと、押圧板８０上の用紙Ｑがベースプレート６１上の用紙Ｐに当接する。さらにブロック７３が下降するとコイルバネ７４が圧縮され、所定の押圧力で用紙Ｑと用紙Ｐとが密着する。用紙Ｐには両面テープＴが貼付されているので、用紙Ｑと用紙Ｐとが接着される。
【００３２】
次に、図９に示すように、両スライダ８３が互いに離間する方向に移動させられつつカム８５が回転すると、カムフォロア８８が移動し、アーム８７が揺動する。これに伴って押え爪８９が開く。同時に、両スライダ６３が互いに離間する方向に移動させられつつカム６５が回転することにより、カムフォロア６８が移動し、アーム６７が揺動する。これに伴って押え爪６９が開く。この時点で、用紙Ｑ及び用紙Ｐは、押え爪６９又は押え爪８９のいずれにも係止されていないが、押圧板８０による押圧力により、位置ずれは発生しない。
【００３３】
次に、両スライダ８３が互いに接近する方向に移動させられつつカム８５が回転すると、カムフォロア８８が移動し、アーム８７が揺動し、押え爪８９が閉じる。一方、押え爪６９は開いた状態で維持される。
【００３４】
これにより、用紙Ｐが押圧板８０側に保持されることとなり、支持機構６０から押圧機構７０側へ移載されることとなる。すなわち、押圧板８０側に貼り合わせ済みの用紙Ｐが積層されていくことになる。
【００３５】
なお、図示では用紙の厚さを誇張して描いてあるが、以下同様にして、所定の枚数の用紙Ｐの非印刷面同士の貼り合わせにより製本作業が行われていく。そして製本作業が終了すると、図示しない搬出機構により、貼合せ部５０より搬出される。
【００３６】
上述したように、本実施の形態に係る製本装置１０によれば、両面テープＴにより接着を行うので、接着範囲をほぼ一定とすることができ、接着力を一定とすることができる。また、接着部分以外に糊が付着することがない。さらに、位置決めをその都度行うこととなることから、用紙Ｐを高精度に位置決めすることができる。このため、位置ずれが蓄積することなく、製本後の完成品の見栄えをよくすることができる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３８】
【発明の効果】
本発明によれば、糊で汚れることなく、かつ、用紙のずれがなく高精度に貼り合わせを行うことが可能となる。
【図面の簡単な説明】
【図１】本発明の一実施の形態に係る製本装置の概要を示す平面図。
【図２】同製本装置で用いる両面テープ及びセパレータの構造を示す要部断面図。
【図３】同製本装置を図１中Ａ−Ａ線で切断して矢印方向に見た説明図。
【図４】同製本装置を図１中Ｂ−Ｂ線で切断して矢印方向に見た説明図。
【図５】同製本装置に組み込まれた折り部の動作を示す説明図。
【図６】同製本装置に組み込まれた糊付け部の動作を示す説明図。
【図７】同製本装置に組み込まれた支持機構の動作を示す説明図。
【図８】同製本装置に組み込まれた支持機構及び押圧機構の動作を示す説明図。
【図９】同製本装置に組み込まれた支持機構及び押圧機構の動作を示す説明図。
【符号の説明】
１０…製本装置、２０…供給部、３０…折り部、４０…糊付け部、５０…貼合せ部、６０…支持機構、６９…押え爪（積層前用紙保持手段）、７０…押圧機構、８０…押圧板、８９…押え爪、Ｔ…両面テープ、Ｐ…用紙。
【図１】
2004338301.tif 000003
【図２】
2004338301.tif 000004
【図３】
2004338301.tif 000005
【図４】
2004338301.tif 000006
【図５】
2004338301.tif 000007
【図６】
2004338301.tif 000008
【図７】
2004338301.tif 000009
【図８】
2004338301.tif 000010
【図９】
2004338301.tif 000011